(57)【要約】【課題】光源の動きが自然であり、見ていて飽きが来ない電飾効果の高い電光表示装置を提供する。【解決手段】複数の発光源とその点滅をコントロールする点灯制御回路をもつ電光表示装置において、前記点灯制御回路に組み込まれるプログラムは、タイミング発生手段１１と、該タイミングでランダムな値を発生させる乱数発生手段１２と、該乱数を前記タイミング発生手段のタイミングで累積していく積分手段１３を有し、ひとつの表示パターンから次の表示パターンに表示を更新する時間を、前記積分手段の出力に比例あるいは反比例させる。【選択図】　　　　図２
2004085740.tif 000002
【特許請求の範囲】
【請求項１】
複数の発光源とその点滅をコントロールする点灯制御回路をもつ電光表示装置において、前記点灯制御回路に組み込まれるプログラムは、タイミング発生手段と、該タイミングでランダムな値を発生させる乱数発生手段と、該乱数を前記タイミング発生手段のタイミングで累積していく積分手段を有し、ひとつの表示パターンから次の表示パターンに表示を更新する時間を、前記積分手段の出力に比例あるいは反比例することを特徴とする電光表示装置。
【請求項２】
前記表示パターンの更新は前記積分手段の出力があらかじめ設定した値よりも大きい時には、進む方向へ、小さい時には戻る方向へ移るか、あるいはその逆になるように表示を更新することを特徴とする請求項１記載の電光表示装置。
【請求項３】
前記、点灯制御回路に組み込まれているプログラムうち、前記乱数発生手段の乱数が数１式のＸｎで表される請求項１記載の電光表示装置。
【数１】
2004085740.tif 000005
ただし、ＨはＨｅｘ値を表し、ｒｏｕｎｄ（）は小数点以下のまるめ処理を意味する。ｎがついているものはその時点の処理を表し、ｎ−１がついているものはその時点の１回前の処理を表している。
【請求項４】
前記、点灯制御回路に組み込まれているプログラムうち、前記積分手段の積分値が数２式のＹｎで表される請求項１記載の電光表示装置。
【数２】
2004085740.tif 000006
ただし、ｋは自然数とする。
【発明の詳細な説明】
【０００１】
【発明が属する技術分野】
本発明は、複数個の発光素子を集合させてなる電光表示装置に関するものである。
【０００２】
【従来の技術】
ネオンサイン等の電飾、電光看板、自動販売機の表示はネオンランプ、電球、ＬＥＤ等の発光源を並べて、それらをソレノイドリレーや半導体で電力をスイッチングできるようにしており、このスイッチングのコントロールはリレーシーケンスやシーケンサ、マイクロコントローラ、半導体ロジック回路によって行っている。これらの発光源の点滅の仕方は、隣りの発光源との関連を持たせて点滅させることが多い。すなわち、ひとつ置きの発光源を交互に点滅させたり、順番に点滅させる。これは人の目にはあたかも発光源が動いているかのように見せるためである。
【０００３】
また、人目を引くためにランダムな順番に発光源を点滅させる場合もある。点滅させる時間は一定だったり変化させる場合もあるが、その動きは比較的短い時間で同じ動作を繰り返すようになっている。
【０００４】
【発明が解決しようとする課題】
解決しようとする問題点は、短い時間で同じパターンを繰り返す場合、人はそれを見ることに飽きてしまい、次にそれを見たときには、注目しなくなる。また、ランダムな繰り返しでは、めまぐるしく変化が続くので、そういったパターンとして人は認識してしまい、やはり飽きてしまう。
【０００５】
【課題を解決するための手段】
複数の発光源とその点滅をコントロールする点灯制御回路をもつ電光表示装置において、前記点灯制御回路に組み込まれるプログラムは、タイミング発生手段と、該タイミングでランダムな値を発生させる乱数発生手段と、該乱数を前記タイミング発生手段のタイミングで累積していく積分手段を有し、ひとつの表示パターンから次の表示パターンに表示を更新する時間を、前記積分手段の出力に比例あるいは反比例することを特徴とする電光表示装置。
【０００６】
前記表示パターンの更新は前記積分手段の出力があらかじめ設定した値よりも大きい時には、進む方向へ、小さい時には戻る方向へ移るか、あるいはその逆になるように表示を更新することで発光源の動きが前後するように見えることを特徴とする電光表示装置。
【０００７】
請求項３に開示している乱数発生式、請求項４に開示している積分式を前記点灯制御回路の演算中に用いることを特徴とする電光表示装置。
【０００８】
【発明の実施の形態】
ＬＥＤを光源とし、光源の動きが自然であり、同じ動きの繰り返しがなく、見ていて飽きのこない、卓上インテリアを実現する。
【０００９】
【実施例】
以下、卓上インテリアとして具体化した一実施例について図面を参照して説明する。図１は本発明の実施例の構成図である。図中の１は表示板であり、例えば四角形の形状で適当な足を持って、卓上に自立するようになっている。内部にＬＥＤからなる１２個の発光素子２が円形に配置されており、各発光素子２は独立して点灯制御可能である。発光素子２郡は駆動回路３を介して点灯制御回路４により点灯制御され、商用電源につないだＡＣアダプタや乾電池、あるいは太陽電池などの電源５からの電力によって点灯される。
【００１０】
図２は本発明のブロックダイアグラムを示している。タイミング発生手段１１は乱数発生手段１２、積分手段１３、待ち時間発生手段１４へと続く待ち時間を変更するための一連の処理を行う時間間隔を決めている。具体的には、０．５秒毎に待ち時間を変更する場合の０．５秒という時間間隔のタイミングを発生する。
乱数発生手段１２では、１回毎にランダムな値を出力する。積分手段では、乱数発生手段の出力を累積して待ち時間発生手段１４に送る。待ち時間発生手段１４は、表示送り時間を決めており、積分手段１３からの値に比例した待ち時間を発生する。
表示送り手段１５では、待ち時間発生手段１４からの待ち時間だけ、時間を待ってから表示の点滅をコントロールして次の表示位置に点灯を移動させる。例えば、図３の１０１のＬＥＤが点灯し、他のＬＥＤが滅灯していたとすると、それから待ち時間経った時に、１０１が滅灯して１０２が点灯するようにして、１０１から１１２までを順番に点滅させ、１１２の次には１０１を点灯させるようにして表示を送ることになる。
【００１１】
タイミング発生手段１１は、クリスタル発振等の発振器により、適当な周期のクロック信号を発生させ、これを分周器で分周して所望の時間間隔でタイミングパルスを出力する。通常マイクロプロセッサで処理を行う場合は、このパルスをマイクロプロセッサの割り込み入力端子に入力する。マイクロプロセッサでは、このタイミングパルスが来ると乱数発生手段からの処理を行って行く。
【００１２】
乱数発生手段１２は、例えば次のような演算で処理できる。１６ビットのレジスタＸｎ、１回前の演算結果Ｘｎ−１として、数３式で表す演算を行うことで乱数が得られる。
【００１３】
【数３】
2004085740.tif 000003
【００１４】
ただし、ＨはＨｅｘ値を表し、ｒｏｕｎｄ（）は小数点以下のまるめ処理を意味する。　ｎがついているものはその時点の処理を表し、ｎ−１がついているものはその時点の１回前の処理を表している。　Ｘｎのうち、連続した数ビット（例えば上位８ビット）を取り出して使っても良い。乱数発生のアルゴリズムは他にもあるので、上記の処理に限るものではない。
【００１５】
積分手段１３は、例えば次のような演算で処理できる。レジスタＹｎ、１回前の演算結果をＹｎ−１、乱数発生手段で得た乱数をＸｎとすると、数４式で表す演算を行うことで得られる。
【００１６】
【数４】
2004085740.tif 000004
【００１７】
ただし、ｋは自然数とする。ここで、ｋが大きくなると、Ｙｎの変化は小さくなるのでＸｎの平均値を引いて定数を掛ける等の処理が必要となるが、これは本質的な問題ではない。積分手段のアルゴリズムは他にも多くあり、そのどれを使っても良く、上記の処理に限定されるものではない。例えばディジタルフィルタのＦＩＲフィルタ，ＩＩＲフィルタでも良く、また移動平均を採るのも積分手段のひとつである。
【００１８】
積分手段１３の出力に比例あるいは反比例した値を待ち時間発生手段１４の待ち時間に設定することで、時間発生手段１４では少しづつ異なる待ち時間が発生されることになる。ここで積分手段１３の出力が、あらかじめ設定した値、例えば８０Ｈよりも大きい時には、進む方向へ、小さい時には戻る方向へ移るか、あるいはその逆になるように表示を更新するようにプログラミングすることで、光源の動きが行きつ戻りつするように見えるため、さらに面白い動きとなる。
【００１９】
【発明の効果】
本発明の電光表示装置は、光源の動きが自然であり、かつ常に違った動きであるため、見ていて飽きが来ない。従って、人々の注目を集め、電飾効果を高めることができる。
【図面の簡単な説明】
【図１】本発明の実施例の構成図である。
【図２】本発明のブロックダイアグラムである。
【図３】表示送りの例を説明する図である。
【符号の説明】
１　表示板
２　発光素子
３　駆動回路
４　点灯制御回路
１１　タイミング発生手段
１２　乱数発生手段
１３　積分手段
１４　待ち時間発生手段
１５　表示送り手段
【図１】
2004085740.tif 000007
【図２】
2004085740.tif 000008
【図３】
2004085740.tif 000009